(57)【要約】      （修正有）【課題】断線や接続不良などにより共通線が開放状態となった場合において、手元操作部の抵抗破壊を防止することができる電気掃除機を得る。【解決手段】電動送風機８及び電動機２の動作を制御する制御指示部１６と、掃除機本体１に一端を接続し、操作信号を出力する手元操作部４を他端側に有するホース３と、ホース３に設けられ、掃除機本体１側からの商用電源１０を電動機８に供給する一対の電力線と、ホース３に設けられ、前記一対の電力線の内、一方の電力線とによって操作信号を制御指示部１６に入力する信号線とを備えた電気掃除機において、制御指示部１６は、電動機８が動作中に、前記一方の電力線が開放状態になったとき、電動機８への商用電源１０の供給を停止させるものである。【選択図】図５
2008035997.tif 000002
【特許請求の範囲】
【請求項１】
掃除機本体に内蔵され、塵埃を吸引する電動送風機と、
吸込み具に内蔵され、塵埃をかきあげる回転ブラシを駆動する電動機と、
前記掃除機本体に設けられ、前記電動送風機及び前記電動機の動作を制御する制御指示部と、
前記掃除機本体に一端を接続し、操作信号を出力する手元操作部を他端側に有するホースと、
前記ホースに設けられ、前記掃除機本体側からの商用電源を前記電動機に供給する一対の電力線と、
前記ホースに設けられ、前記一対の電力線の内、一方の電力線とによって前記操作信号を前記制御指示部に入力する信号線と
を備えた電気掃除機において、
前記制御指示部は、前記電動機が動作中に、前記一方の電力線（以下、共通線と称する）が開放状態になったとき、前記電動機への商用電源の供給を停止させることを特徴とする電気掃除機。
【請求項２】
前記制御指示部は、前記電動機が動作中に、前記共通線が開放状態となり、且つ、前記一対の電力線の内、他方の電力線及び前記信号線が接続状態のとき、前記電動機への商用電源の供給を停止させることを特徴とする請求項１記載の電気掃除機。
【請求項３】
前記制御指示部は、前記操作信号に基づき、前記共通線の開放状態を判断し、前記電動機への商用電源の供給を停止させることを特徴とする請求項１又は２記載の電気掃除機。
【請求項４】
前記商用電源のゼロボルトのタイミングを検出する電源同期検出手段を備え、
前記制御指示部は、前記操作信号の電圧が、前記電源同期検出手段により検出された前記ゼロボルトのタイミングと同期して変動するとき、前記共通線が開放状態であると判断し、前記電動機への商用電源の供給を停止させることを特徴とする請求項１〜３の何れかに記載の電気掃除機。
【請求項５】
前記商用電源のゼロボルトのタイミングを検出する電源同期検出手段を備え、
前記制御指示部は、前記電源同期検出手段により検出された前記ゼロボルトのタイミングから所定の時間経過後の前記操作信号の電圧値に基づき、前記共通線の開放状態を判断し、前記電動機への商用電源の供給を停止させることを特徴とする請求項１〜３の何れかに記載の電気掃除機。
【請求項６】
前記電源同期検出手段は、前記商用電源のゼロボルトのタイミングに同期した電源同期波形を前記制御指示部に入力し、
前記制御指示部は、
前記ゼロボルトのタイミングでの前記電源同期波形が立ち下がりのとき、前記ゼロボルトのタイミングから所定の時間経過後、前記操作信号の電圧値が第１の所定電圧以上であるか否かを検出し、
前記ゼロボルトのタイミングでの前記電源同期波形が立ち上がりのとき、前記ゼロボルトのタイミングから所定の時間経過後、前記操作信号の電圧値が第２の所定電圧以下であるか否かを検出し、
前記第１の所定電圧以上と前記第２の所定電圧以下とを所定の回数検出したとき、前記電動機への商用電源の供給を停止させることを特徴とする請求項５記載の電気掃除機。
【請求項７】
前記共通線の開放状態を表示する表示手段を備え、
前記制御指示部は、前記電動機が動作中に、前記共通線が開放状態になったとき、前記表示手段に前記共通線の開放状態を表示させることを特徴とする請求項１〜６の何れかに記載の電気掃除機。
【請求項８】
前記共通線の開放状態を報知する報知手段を備え、
前記制御指示部は、前記電動機が動作中に、前記共通線が開放状態になったとき、前記報知手段に前記共通線の開放状態を報知させることを特徴とする請求項１〜７の何れかに記載の電気掃除機。
【請求項９】
前記制御指示部は、前記電動機への商用電源の供給を停止させた後、前記手元操作部の操作により前記電動機への商用電源の供給を再開させることを特徴とする請求項１〜８の何れかに記載の電気掃除機。
【発明の詳細な説明】
【技術分野】
【０００１】
この発明は、電気掃除機に関し、特に、手元操作部の抵抗破壊を防止する電気掃除機に関する。
【背景技術】
【０００２】
従来の電気掃除機は、例えば「モータにより駆動するブラシを有するノズルと、吸引力を発生させる電動送風機と、この電動送風機を内蔵した電気掃除機本体と、この電気掃除機本体に一端側を接続し、他端側に手元操作部を有するホースと、前記手元操作部を介して電気掃除機本体側の電力を前記ノズルに供給するため、前記ホースに設けた導線と、前記手元操作部に設けられ、前記導線の電力から信号電圧を作り出す操作手段と、前記電気掃除機本体側に設けられ、前記操作手段からの信号電圧を入力する制御手段を有し、前記制御手段はモータの駆動時及び停止時に応じて入力される信号電圧の判断を変更するようにした…」ものが提案されている（例えば、特許文献１参照）。
【０００３】
また、例えば、「掃除機本体に内蔵された電動送風機と、前記掃除機本体内に設けられこの電動送風機を制御する制御手段と、前記掃除機本体に着脱自在に接続されるホースを介して接続されるとともに、前記制御手段に電気的に接続され、複数の常開型スイッチを有し、これら複数の常開型スイッチにより前記電動送風機の入力を任意に調節する手動操作手段とを備え、前記手動操作手段は、この手動操作手段が操作されているとき設定された値の電流を流す一時電流設定手段と、この一時電流設定手段により設定される下限の電流の値より小さい値の一定の電流を常時流す常時電流設定手段とを有し、前記制御手段は、前記一時電流設定手段が流す電流の値をこの一時電流設定手段が操作され前記電流が流れている間に読み取って比較する基準値をそれぞれ有した複数の比較手段と、この比較手段による比較結果を記憶する記憶手段と、前記常時電流設定手段からの電流の有無を判別する判別手段とを有し、前記判別手段により前記常時電流設定手段からの電流を検出しない場合に前記電動送風機を停止させる…」ものが提案されている（例えば、特許文献２参照）。
【０００４】
【特許文献１】特開２０００−２７１０５３号公報（請求項１）
【特許文献２】特許第２９３０１１６号（請求項１）
【発明の開示】
【発明が解決しようとする課題】
【０００５】
従来の電気掃除機では、吸込み具に内蔵された回転ブラシを駆動する電動機に商用電源を供給する一対の電力線をホースに設け、この一対の電力線の内、一方の電力線（以下、共通線という）と信号線とにより、手元操作部からの操作信号を制御指示部に入力し、ホース内の導線数を減らし、軽量化及び操作性の向上を図っている。
【０００６】
しかしながら、共通線が断線や接続不良などにより電気的に非接続の開放状態となり、電力線と信号線とが接続状態の場合、電動機に供給する商用電源（ＡＣ１００Ｖ）が手元操作部の抵抗に印可され、抵抗が破壊されてしまう、という問題点があった。
【０００７】
本発明は、上記のような問題点を解決する為になされたもので、断線や接続不良などにより共通線が開放状態となった場合において、手元操作部の抵抗破壊を防止することができる電気掃除機を得るものである。
【課題を解決するための手段】
【０００８】
この発明に係る電気掃除機は、掃除機本体に内蔵され、塵埃を吸引する電動送風機と、吸込み具に内蔵され、塵埃をかきあげる回転ブラシを駆動する電動機と、前記掃除機本体に設けられ、前記電動送風機及び前記電動機の動作を制御する制御指示部と、前記掃除機本体に一端を接続し、操作信号を出力する手元操作部を他端側に有するホースと、前記ホースに設けられ、前記掃除機本体側からの商用電源を前記電動機に供給する一対の電力線と、前記ホースに設けられ、前記一対の電力線の内、一方の電力線とによって前記操作信号を前記制御指示部に入力する信号線とを備えた電気掃除機において、前記制御指示部は、前記電動機が動作中に、前記一方の電力線（以下、共通線と称する）が開放状態になったとき、前記電動機への商用電源の供給を停止させるものである。
【発明の効果】
【０００９】
この発明は、電動機が動作中に、共通線が開放状態になったとき、電動機への商用電源の供給を停止させることにより、手元操作部の抵抗破壊を防止することができる。
【発明を実施するための最良の形態】
【００１０】
実施の形態１．
以下、本発明の実施の形態１について図１〜図８を参照し説明する。
図１は実施の形態１に係る電気掃除機の概略構成図である。図において、電気掃除機本体１は、吸引力を発生する電動送風機２と、電動送風機２により吸引された塵埃を集塵する集塵室（図示せず）を内蔵している。電動送風機２は、電気掃除機本体１に設けられた電源コード（図示せず）から供給される商用電源である商用交流電源１０により駆動される。また、電気掃除機本体１には接続部９が設けられ、各導線（後述）を備えたホース３の一端が着脱自在に接続されている。ホース３の他端側には手元操作部４を有し、手元操作部４には、電気掃除機の運転モードを切り替えるスイッチＳＷ１〜ＳＷ４が設けられている。さらに、手元操作部４には、延長管５を介して、床面に接して被掃除面の塵埃等を吸引するための吸込み具６が着脱自在に接続されており、吸込み具６には、被掃除面に接触し塵埃をかきあげる植毛（図示せず）を有する回転ブラシ７と、この回転ブラシ７をベルト（図示せず）などを介して回転駆動させる電動機８を内蔵している。この電動機８には、ホース３、手元操作部４、延長管５を介して、電気掃除機本体１からの商用交流電源１０が供給される。
【００１１】
図２は実施の形態１に係る手元操作部の表示部の外観図である。図において、手元操作部４は、電動機８の切、入りを行うスイッチＳＷ１、手動運転の強、中、弱の切り替えを行うスイッチＳＷ２、自動的に制御を行うモードを選択するスイッチＳＷ３、電動送風機２と電動機８の停止を行うスイッチＳＷ４が設けられている。
【００１２】
図３は実施の形態１に係るホース及び手元操作部の配線構造を示した図、図４は実施の形態１に係る接続部の断面図である。図に示すように、ホース３は、電気掃除機本体１とホース３とを着脱自在に接続する本体接続部３１、接続管３２を介して、一端が本体接続部３１に接続され、他端側が手元操作部４に接続される可撓性ホース３３、本体接続部３１近傍の可撓性ホース３３をカバーするホースカバー３４とで構成され、手元操作部４には、手元操作部４と延長管５（図１参照）とを接続する延長管接続部４１が設けられている。
【００１３】
可撓性ホース３３には、その外周面を長手方向に沿って螺旋状に巻き付くかたちで共通線であるＡライン、電力線であるＢライン、信号線であるＣラインの３本の導線が設けられている。この各導線は多条ねじのように軸方向にズレて別螺旋を描くような配置となっている。この各導線の一端は、本体接続部３１に設けられた摺動リングを介して、それぞれ接続ピン９ａ−１，９ｂ−１，９ｃ−１と電気的に接続され、他端側は、Ａライン及びＣラインが手元操作部４と接続され、Ａライン及びＢラインが延長管接続部４１と接続されている。さらに、延長管接続部４１に接続されたＡライン及びＢラインは、延長管５を介して吸込み具６に設けられた電動機８と接続される（図１、図５参照）。
【００１４】
また、図４に示すように、電気掃除機本体１のホース接続部３５には、電気掃除機本体１側のＡライン、Ｂライン及びＣラインとそれぞれ接続される接続片９ａ−２，９ｂ−２，９ｃ−２が設けられている。この接続片９ａ−２，９ｂ−２，９ｃ−２は、バネ性のある板金のプレート材で形成されており、ホース３が電気掃除機本体１に接続されると、ホース３の本体接続部３１の接続ピン９ａ−１，９ｂ−１，９ｃ−１と、接続片９ａ−２，９ｂ−２，９ｃ−２とがそれぞれ電気的に接続される。
【００１５】
図５は実施の形態１に係る電気掃除機の回路構成図である。図に示すように、本実施の形態１における電気掃除機の回路は、電気掃除機本体１、ホース３、延長管５、吸込み具６の４つのブロックで構成されている。電気掃除機本体１とホース３とは上述したように、Ａライン、Ｂライン及びＣラインが電気的に接続されており、ホース３と延長管５、延長管５と吸込み具６はそれぞれ、Ａライン及びＢラインが電気的に接続されている。
【００１６】
電気掃除機本体１に電源コードを介して供給された商用交流電源１０（ＡＣ１００Ｖ）は、１５Ａ電流ヒューズ１１及び４Ａ電流ヒューズ１２を介して、電動送風機２及び電動機８に供給される。この１５Ａ電流ヒューズ１１は、電動送風機２がロック等になった場合や回路短絡にて異常となった場合の保護装置であり、４Ａ電流ヒューズ１２は、電動機８がロック等になった場合や回路短絡にて異常となった場合の保護装置である。
【００１７】
また、電気掃除機本体１には、商用交流電源１０を所望の電圧へ変圧する電源トランス１３が設けられ、この電源トランス１３の出力側には、電源トランス１３の出力を整流するダイオードブリッジ１４、ダイオードブリッジ１４により整流された出力を平滑する平滑用電解コンデンサＣ１、入力側が平滑用電解コンデンサＣ１に接続され出力側から所定の定電圧（ＤＣ５Ｖ）を出力する定電圧電源１５が設けられている。また、この定電圧電源１５の出力側には、発振を押さえるためのセラミックコンデンサＣ３と、定電圧電源１５の出力電圧を安定させるための電解コンデンサＣ２とが接続されている。さらに、定電圧電源１５の出力ＤＣ５Ｖは、制御指示部１６（マイクロコンピュータ）と手元操作部４とに供給されている。
【００１８】
手元操作部４には、スイッチＳＷ１〜ＳＷ４と抵抗Ｒ１〜Ｒ５が設けられており、電気掃除機本体１側の回路に内蔵された抵抗Ｒ６と、スイッチＳＷ１〜ＳＷ４のオン状態の組合せにより変化する抵抗Ｒ１〜Ｒ５の合成抵抗とにより、Ａ，Ｃライン間の電圧（ＤＣ５Ｖ）が分割され、スイッチＳＷ１〜ＳＷ４のオン状態の組合せに応じて、操作信号である信号電圧が制御指示部１６に入力される。
【００１９】
制御指示部１６は、信号電圧に応じて運転モードを判断し、電動送風機２への通電を制御する双方向サイリスタである電動送風機駆動用トライアック１７と、電動機８への通電を制御する双方向サイリスタである電動機駆動用トライアック１８とを制御する。また、制御指示部１６は、トランジスタＴＲ１を介して手元操作部４と接続されており、トランジスタＴＲ１は、ホース３が電気掃除機本体１の接続部９に接続されていない場合に電圧を検出できるようにするために設置している。抵抗Ｒ７は、トランジスタＴＲ１を駆動させるためのベース抵抗である。さらに、制御指示部１６には、電動送風機へ供給される電流を検出し、検出した電流値を制御指示部１６に入力する電動送風機検出部１９と、商用交流電源１０のゼロボルトのタイミングである電源同期ポイント（ゼロクロスポイント）に同期して電源同期信号を制御指示部１６に入力する電源同期検出手段２１が接続されている。また、吸込み具６には、吸込み具６が空中に持ち上げられた場合に回転ブラシ７を停止させるための安全スイッチ２０が設けられている。
【００２０】
このように、電動機８の両端には、Ａラインに対してＡＣ１００Ｖの電位差が生じるＢラインが接続され、手元操作部４の各抵抗の一端はＡラインに接続され、他端側は、Ｃラインを介して、Ａラインに対してＤＣ５Ｖの電位差が生じるＣ点と接続される。即ち、電気掃除機本体１とホース３を接続する接続部９は、Ａラインを接続する接続部９ａと、Ａラインとの電位差でＡＣ１００Ｖが生じるＢラインを接続する接続部９ｂと、Ａラインとの電位差でＤＣ５Ｖが生じるＣラインを接続する接続部９ｃとにより各ラインが接続されている。
【００２１】
上記のように構成された電気掃除機は、手元操作部４のスイッチＳＷ１〜ＳＷ４が操作されることにより、Ａ，Ｃライン間の電圧が分割され、スイッチＳＷ１〜ＳＷ４のオン状態の組合せに応じた信号電圧が制御指示部１６に入力され、制御指示部１６は、信号電圧に応じて運転モードを判断し、電源同期信号に同期させて交流電源のトリガー位置を制御することにより、交流電力の位相制御を行う。電動機駆動用トライアック１８及び電動送風機駆動用トライアック１７は制御指示部１６のトリガ−信号により制御され、Ａ，Ｃライン間の電圧が供給される電動機８及び電動送風機２の電力を制御する。このように駆動された電動送風機２及び電動機８により、吸込み具６から被掃除面の塵埃がかきあげられ、塵埃は延長管５、ホース３及び電気掃除機本体１へと搬送され、塵埃は電気掃除機本体１に内蔵された集塵室（図示せず）に集塵されるとともに、吸引風は電気掃除機本体１より排出される。
【００２２】
次に、Ａラインの開放状態（断線状態）時における抵抗破壊について説明する。
上述した構成の電気掃除機は、電動機８に商用交流電源１０を供給する電力線と、手元操作部４からの信号電圧を制御指示部１６に入力する信号線のうち、片側の線を共通とする共通線であるＡラインを用いて、ホース３内の導線数を減らし、軽量化及び操作性の向上を図っている。しかしながら、電動機８の動作中に、信号線と共通部分のＡラインが断線や接続不良などにより電気的に非接続の開放状態となり、且つ、Ｂライン及びＣラインが接続状態の場合、商用交流電源１０のＡＣ１００Ｖが手元操作部４の各抵抗に印可される。この状態における電気掃除機の回路の詳細を図６を用いて説明する。
【００２３】
図６は実施の形態１に係る共通線断線時の回路図である。図において、Ａライン断線部１００は、Ａラインの断線又は接続部９ａの接続不良などによる電気的に非接続な開放状態を表している（以下、断線状態という）。電動機８が動作中、即ち、電動機８を駆動する電動機駆動用トライアック１８がＯＮ状態のとき、Ａラインが断線状態になると、商用交流電源１０から供給されるＡＣ１００Ｖは、図の太点線で示す経路、つまり、電動機駆動用トライアック１８、接続部９ｂ、電動機８、抵抗Ｒ１、抵抗Ｒ６の経路からなる閉回路に印可される。通常、手元操作部４の各抵抗は、ＤＣ５Ｖ回路にて使用されることを前提とした定格電力の抵抗器を使用しており、上述のようにＡＣ１００Ｖが印可されると抵抗が破壊されてしまう。このように、上記太点線で示す経路でＡＣ１００Ｖ電圧が印加された場合の制御指示部１６に入力される信号電圧について図７により説明する。
【００２４】
図７は実施の形態１に係る共通線断線時の電圧信号波形図である。図７（ａ）は、Ａラインが断線状態になった場合の手元操作部４から制御指示部１６に入力される電圧信号波形を示しており、図７（ｂ）は、電源同期検出手段２１からの電源同期波形を示している。図に示すように、例えば商用交流電源１０が５０Ｈｚの場合、１０ｍｓ毎に約ＤＣ５Ｖと約ＤＣ０．６のパルス波形が出力され、電源同期波形立下り時は、約ＤＣ５Ｖ電圧を出力し電源同期波形立上がり時は、約ＤＣ０．６Ｖの電圧が制御指示部１６に入力される。
【００２５】
以上のような共通線断線等に伴う抵抗破壊を防止するためには、共通線断線等を検知して、ＡＣ１００Ｖを電動機８に供給する電動機駆動用トライアック１８を停止させる制御を行うことが必要となる。このような制御を行う本発明の動作について次に説明する。
【００２６】
制御指示部１６は、上述した共通線断線時の電圧信号波形に基づき、Ａラインの断線を判断する。測定タイミングは、電源同期波形のゼロボルトのタイミングからプログラム実行時間に加算して所定時間のタイミングで信号電圧を取得する。このとき、電源同期波形が立ち下がりエッジの場合は、第１の所定電圧の値である所定値１（所定値２＜所定値１＜５Ｖ）以上か否かの判断し、電源同期波形が立ち上がりエッジの場合は、第２の所定電圧の値である所定値２（０．６Ｖ＜所定値２＜所定値１）以下か否かの判断して、その判断結果に基づき、電動機８の停止制御を行う。このような動作の詳細を図８により説明する。
【００２７】
図８は実施の形態１に係る制御指示部の動作を示すフローチャートである。制御指示部１６は、電動機８の動作を開始すると共に、共通線の断線検知を開始する（Ｓ１）。まず、手元操作部４から入力された信号電圧のＡＤ変換を開始する（Ｓ２）。次に、電源同期ポイントを基準として、信号電圧を取り込むまでの時間である所定時間Ａの値をセットする（Ｓ３）。ここで、所定時間Ａは、電源同期波形の１／２周期以内の値（例えば、商用交流電源の周波数が５０Ｈｚのとき１０ｍｓ以内の値）とする。セットした所定時間Ａの値のデクリメントを行い（Ｓ４）、デクリメントが終了したか否かを判断し（Ｓ５）、終了するまでデクリメントを繰り返す。終了の場合は、信号電圧入力ＡＤ値の読み込みを行い（Ｓ６）、読み込んだＡＤ値を、読み込み値Ｂとして確定する（Ｓ７）。
次に、基準とした電源同期ポイントでの電源同期波形が、立ち下がりエッジか否かを判断する（Ｓ８）。立下りエッジと判断した場合は、読み込み値Ｂが、所定値１以上か否かの判断を行う（Ｓ９）。所定値１以上の場合は、カウント値Ｃの値をインクリメントし（Ｓ１１）、所定値１以上でないの場合は、カウント値Ｃの値をリセットして（Ｓ１２）、手順Ｓ１から上述の動作を繰り返す（Ｓ１３）。
一方、手順Ｓ８で立ち下がりエッジでないと判断した場合は、読み込み値Ｂが所定値２以下か否かの判断を行う（Ｓ１０）、所定値２以下の場合は、カウント値Ｃの値をインクリメントし（Ｓ１１）、所定値２以下でないの場合は、カウント値Ｃの値をリセットして（Ｓ１２）、手順Ｓ１から上述の動作を繰り返す（Ｓ１３）。
次に、カウント値Ｃが所定の回数と以上であるか否かにより、所定回数の経過を判断する（Ｓ１４）。所定回数経過したと判断した場合は、電動機駆動用トライアック１８をＯＦＦとし、電動機８の停止させ（Ｓ１５）、共通線の断線検知の処理を終了する（Ｓ１６）。一方、手順Ｓ１４にて所定回数経過しないと判断した場合は、カウント値Ｃの値を保持したまま手順Ｓ１から上述の動作を繰り返す（Ｓ１３）。
【００２８】
以上のように本実施の形態においては、電動機８が動作中に、共通線であるＡラインが断線状態になったとき、電動機８への商用交流電源１０の供給を停止させることにより、商用交流電源１０の印加経路が遮断され、手元操作部４の抵抗に電圧が印加されなくなるので、手元操作部４の抵抗の破壊を防止することができる。
【００２９】
また、制御指示部１６は、信号電圧に基づき、Ａラインの断線状態を判断し、電動機８への商用交流電源１０の供給を停止させることにより、商用交流電源１０の印加経路が遮断され、手元操作部４の抵抗に電圧が印加されなくなるので、手元操作部４の抵抗の破壊を防止することができる。
【００３０】
また、制御指示部１６は、信号電圧の電圧が、電源同期ポイントと同期して変動するとき、Ａラインが断線状態であると判断し、電動機８への商用交流電源１０の供給を停止させることにより、商用交流電源１０の印加経路が遮断され、手元操作部４の抵抗に電圧が印加されなくなるので、手元操作部４の抵抗の破壊を防止することができる。
【００３１】
また、制御指示部１６は、電源同期ポイントから所定時間Ａ経過後の信号電圧の電圧値に基づき、Ａラインの断線状態を判断し、電動機８への商用交流電源１０の供給を停止させることにより、商用交流電源１０の印加経路が遮断され、手元操作部４の抵抗に電圧が印加されなくなるので、手元操作部４の抵抗の破壊を防止することができる。
【００３２】
また、制御指示部１６は、電源同期ポイントでの電源同期波形が立ち下がりのとき、この電源同期ポイントから所定の時間Ａ経過後、信号電圧の電圧値Ｂが所定値１以上であるか否かを検出し、電源同期ポイントでの電源同期波形が立ち上がりのとき、電源同期ポイントから所定の時間Ａ経過後、信号電圧の電圧値Ｂが所定値２以下であるか否かを検出し、所定値１以上と所定値２以下とを所定の回数検出したとき、電動機８への商用交流電源１０の供給を停止させることにより、Ａラインの断線状態をより正確に判別することができる。
【００３３】
尚、上述したような、商用交流電源１０のＡＣ１００Ｖが手元操作部４の抵抗に印可される状態は、電動機８の動作中に、Ａラインが開放状態となり、且つ、Ｂライン及びＣラインが接続状態の場合に限り発生し、Ｂライン及びＣラインの何れかが開放状態となった場合においては、商用交流電源１０のＡＣ１００Ｖが手元操作部４の抵抗に印可される経路は形成されることはない。
【００３４】
実施の形態２．
図９は実施の形態２に係る電気掃除機の回路構成図である。本実施の形態では、上記実施の形態１の構成に加え、図９に示すように、電気掃除機本体１に、Ａラインの断線状態を表示する表示手段２２及び断線状態を報知する報知手段２３を備えた構成とする。尚、その他の構成及び動作は、上述した実施の形態１と同様である。
【００３５】
本実施の形態において、制御指示部１６は、電動機８が動作中に、上述の動作により、Ａラインが断線状態と判断し、電動機８を停止させたとき、表示手段２２にＡラインの断線状態を表示させると共に、報知手段２３にＡラインの断線状態を報知させる。
【００３６】
以上のように本実施の形態では、制御指示部１６は、電動機８が動作中に、Ａラインが断線状態になったとき、表示手段２２及び報知手段２３にＡラインの断線状態を表示及び報知させることにより、使用者にＡラインが断線状態を知らせることができる。
【００３７】
尚、本実施の形態では、表示手段２２及び報知手段２３の両方を備えた構成としたが、これに限らず、表示手段２２又は報知手段２３の何れか一方により、使用者にＡラインが断線状態を知らせても良い。
【００３８】
実施の形態３．
本実施の形態３は、上記実施の形態１における手順Ｓ１３にて電動機８を停止させた後、手元操作部４のスイッチ操作により、電動機８の動作を再開させるものである。尚、本実施の形態の構成は、上述した実施の形態１と同様である。
【００３９】
本実施の形態における電気掃除機は、上述した実施の形態１と同様の動作により、共通線の断線検知を開始し、電動機８の動作中にＡラインが断線状態になったとき、Ａラインの断線状態を判断して、電動機８の停止制御を行う。
その後、使用者により、手元操作部４のスイッチＳＷ１が操作され、スイッチＳＷ１のオン状態に応じた信号電圧が制御指示部１６に入力されたとき、制御指示部１６は、電動機駆動用トライアック１８をＯＮ状態として、再び電動機８を動作させる。
【００４０】
以上のように、Ａラインが断線状態になり、制御指示部１６が電動機８の停止制御を行った後、手元操作部４のスイッチＳＷ１の操作により電動機８への商用交流電源１０の供給を再開させることにより、電源コードのプラグを抜き差しするなどのリセット操作なしに、電動機８の動作を復帰することができ、取り扱い性の向上を図ることができる。
【図面の簡単な説明】
【００４１】
【図１】実施の形態１に係る電気掃除機の概略構成図である。
【図２】実施の形態１に係る手元操作部の表示部の外観図である。
【図３】実施の形態１に係るホース及び手元操作部の配線構造を示した図である。
【図４】実施の形態１に係る接続部の断面図である。
【図５】実施の形態１に係る電気掃除機の回路構成図である。
【図６】実施の形態１に係る共通線断線時の回路図である。
【図７】実施の形態１に係る共通線断線時の電圧信号波形図である。
【図８】実施の形態１に係る制御指示部の動作を示すフローチャートである。
【図９】実施の形態２に係る電気掃除機の回路構成図である。
【符号の説明】
【００４２】
１  電気掃除機本体、２  電動送風機、３  ホース、４  手元操作部、５  延長管、６  吸込み具、７  回転ブラシ、８  電動機、９  接続部、９ａ  接続部、９ｂ  接続部、９ｃ  接続部、９ａ−１  接続ピン、９ｂ−１  接続ピン、９ｃ−１  接続ピン、９ａ−２  接続片、９ｂ−２  接続片、９ｃ−２  接続片、１０  商用交流電源、１１  電流ヒューズ、１２  電流ヒューズ、１３  電源トランス、１４  ダイオードブリッジ、１５  定電圧電源、１６  制御指示部、１７  電動送風機駆動用トライアック、１８  電動機駆動用トライアック、１９  電動送風機検出部、２０  安全スイッチ、２１  電源同期検出手段、２２  表示手段、２３  報知手段、３１  本体接続部、３２  接続管、３３  可撓性ホース、３４  ホースカバー、３５  ホース接続部、４１  延長管接続部、１００  ライン断線部、Ｃ１  平滑用電解コンデンサ、Ｃ２  電解コンデンサ、Ｃ３  セラミックコンデンサ、Ｒ１  抵抗、Ｒ２  抵抗、Ｒ３  抵抗、Ｒ４  抵抗、Ｒ５  抵抗、Ｒ６  抵抗、Ｒ７  抵抗、ＳＷ１  スイッチ、ＳＷ２  スイッチ、ＳＷ３  スイッチ、ＳＷ４  スイッチ、ＴＲ１  トランジスタ。
【図１】
2008035997.tif 000003
【図２】
2008035997.tif 000004
【図３】
2008035997.tif 000005
【図４】
2008035997.tif 000006
【図５】
2008035997.tif 000007
【図６】
2008035997.tif 000008
【図７】
2008035997.tif 000009
【図８】
2008035997.tif 000010
【図９】
2008035997.tif 000011